(57)【要約】      （修正有）【課題】装着者の目を保護することができると共に、暑さを軽減したフェイスシールドを提供する。【解決手段】フェイスシールド１は、装着者の頭部に装着可能な装着部１２と、装着部１２に取り付けられ、装着者の顔面から離間して装着者の顔面を覆う透明な遮蔽部１１と、装着者が装着した際に、遮蔽部１１のうち、装着者の視界に収まる視界領域Ｆに設けられた遮光手段とを有する。なお、遮光手段は、視界領域Ｆに印刷された色彩又は模様であってもよいし、視界領域Ｆに貼付されたシールであってもよい。【選択図】図１
0003228208.tif 000002
【実用新案登録請求の範囲】
【請求項１】
装着者の頭部に装着可能な装着部と、
前記装着部に取り付けられ、前記装着者の顔面から離間して前記装着者の顔面を覆う透明な遮蔽部と、
前記装着者が装着した際に、前記遮蔽部のうち、前記装着者の視界に収まる視界領域に設けられた遮光手段と、を有する、
フェイスシールド。
【請求項２】
前記遮光手段は、前記視界領域に印刷された色彩又は模様である、
請求項１記載のフェイスシールド。
【請求項３】
前記遮光手段は、前記視界領域に貼付されたシールである、
請求項１記載のフェイスシールド。
【請求項４】
前記シールは、貼付と剥離が自在である、
請求項３記載のフェイスシールド。
【請求項５】
前記シールの貼付対象領域となる視界領域について、境界が視認可能に示されている、
請求項３又は４記載のフェイスシールド。
【請求項６】
前記視界領域において、紫外線の透過を防ぐ紫外線透過制限手段、を有する、
請求項１乃至５いずれかの項に記載のフェイスシールド。
【請求項７】
前記遮蔽部は、前記装着部に対し、取り替え可能に取り付けられている、
請求項１乃至６いずれかの項に記載のフェイスシールド。
【請求項８】
装着者の頭部に装着可能な装着部に取り付けられるフェイスシールド用パネルであって、
前記装着部に取り付けられ、前記装着者の顔面から離間して前記装着者の顔面を覆う透明な遮蔽部と、
前記装着者が装着した際に、前記遮蔽部のうち、前記装着者の視界に収まる視界領域に設けられた遮光手段と、を有する、
フェイスシールド用パネル。
【請求項９】
装着者の顔面から離間して当該装着者の顔面を覆う透明な遮蔽部を備えたフェイスシールドに貼付されるフェイスシールド用シールであって、
前記装着者が装着した際に、前記遮蔽部のうち、前記装着者の視界に収まる視界領域に貼付され、遮光性と視認性、を有する、
フェイスシールド用シール。
【請求項１０】
前記請求項９記載のフェイスシールド用シールが貼付されるフェイスシールドであって、
前記遮蔽部には、前記視界領域の境界であって、前記フェイスシールド用シールの貼付位置を示すラインが表示されている、
フェイスシールド。
【考案の詳細な説明】
【技術分野】
【０００１】
本考案は、フェイスシールドに関する。
【背景技術】
【０００２】
近時、ウィルスによる感染症予防のため、装着者の顔面を覆うフェイスシールドが使われている。フェイスシールドは、装着者と、装着者に向き合う者との間を物理的に隔て、これにより、装着者と、装着者に向き合う者双方の飛沫感染のリスクを低減できる。飛沫感染の低減においては、マスクも使われているが、フェイスシールドであれば、マスクのように息苦しさを感じずに済む。特に、マスクの場合、夏場などの暑い時期では、熱気がこもって煩わしい。
【０００３】
フェイスシールドはこれまで、機械的作業などの場面で多く用いられてきており、例えば、特許文献１では、装着者の頭部に取り付け可能なヘッドギア部と、前記ヘッドギア部に取り付けられており、装着した際の前記装着者の両側頭部の位置を軸として回動可能に支持されている帯状の回動部と、前記装着者の顔面部と所定距離を保持しつつ、前記回動部の下縁部から延設されているとともに、装着した際の前記装着者の顔面部の手前に位置するように設けられている透明部と、前記透明部の下縁部から延設されているとともに、装着した際の前記装着者の胸元の手前に位置するように設けられている前掛け部と、を備えていることを特徴とする防護具が開示されている。
【０００４】
【特許文献１】実用新案登録第３２２０３２７号公報
【考案の開示】
【考案が解決しようとする課題】
【０００５】
上記の通り、フェイスシールドは、感染リスクの軽減には一定の効果が見込めるし、マスクとは異なる利便性があるが、装着者の顔面を覆うという性質上、単なる飛沫感染のみらならず、装着者の顔面、特に目を外光から保護するなどの機能を併せ持たせることができれば有用である。
【０００６】
そこで、本考案は、装着者の目を保護することのできるフェイスシールドを提供することを目的とし、さらには日光などによる暑さを軽減する。
【課題を解決するための手段】
【０００７】
上記目的を達成するため、本考案の一の観点に係るフェイスシールドは、装着者の頭部に装着可能な装着部と、前記装着部に取り付けられ、前記装着者の顔面から離間して前記装着者の顔面を覆う透明な遮蔽部と、前記装着者が装着した際に、前記遮蔽部のうち、前記装着者の視界に収まる視界領域に設けられた遮光手段と、を有する。
【０００８】
また、前記遮光手段は、前記視界領域に印刷された色彩又は模様であるものとしてもよい。
【０００９】
また、前記遮光手段は、前記視界領域に貼付されたシールであるものとしてもよい。
【００１０】
また、前記シールは、貼付と剥離が自在であるものとしてもよい。
【００１１】
また、前記シールの貼付対象領域となる視界領域について、境界が視認可能に示されているものとしてもよい。
【００１２】
また、前記視界領域において、紫外線の透過を防ぐ紫外線透過制限手段、を有するものとしてもよい。
【００１３】
また、前記遮蔽部は、前記装着部に対し、取り替え可能に取り付けられているものとしてもよい。
【００１４】
また、本考案の別の観点に係るフェイスシールド用パネルは、装着者の頭部に装着可能な装着部に取り付けられるフェイスシールド用パネルであって、前記装着部に取り付けられ、前記装着者の顔面から離間して前記装着者の顔面を覆う透明な遮蔽部と、前記装着者が装着した際に、前記遮蔽部のうち、前記装着者の視界に収まる視界領域に設けられた遮光手段と、を有する。
【００１５】
また、本考案の別の観点に係るフェイスシールド用シールは、装着者の顔面から離間して当該装着者の顔面を覆う透明な遮蔽部を備えたフェイスシールドに貼付されるフェイスシールド用シールであって、前記装着者が装着した際に、前記遮蔽部のうち、前記装着者の視界に収まる視界領域に貼付され、遮光性と視認性、を有する。
【００１６】
また、本考案の別の観点に係るフェイスシールドは、前記フェイスシールド用シールが貼付されるフェイスシールドであって、前記遮蔽部には、前記視界領域の境界であって、前記フェイスシールド用シールの貼付位置を示すラインが表示されている。
【考案の効果】
【００１７】
本考案によれば、フェイスシールドを装着した装着者の目を保護することができる。また、日光などによる暑さを軽減することもできる。
【図面の簡単な説明】
【００１８】
【図１】本考案の第一の実施形態に係るフェイスシールドを示した外観斜視図である。
【図２】本考案の第二の実施形態に係るフェイスシールドを示した外観斜視図である。
【考案を実施するための形態】
【実施例１】
【００１９】
以下、本考案の実施形態に係るフェイスシールドについて、図を参照して説明する。
図１に示される、本考案の第一の実施形態に係るフェイスシールド１は、装着者の顔面を覆い、これにより装着者と、装着者に向き合う者との間で飛沫感染が起こるリスクを低減できるものである。
このフェイスシールド１は、装着部１２と遮蔽部１１とによって構成される。
【００２０】
装着部１２は、装着者の頭部に装着される部分であり、環状に形成した帯状体によって構成されている。
この装着部１２は、本実施形態では、装着者の額に当接する第一当接部１２１と、装着者の側頭部から後頭部にわたる部分に当接する第二当接部１２２からなり、第一当接部１２１と第二当接部１２２はそれぞれの端部で一体的に接続している。
【００２１】
第一当接部１２１は、装着者の額の形状に合わせて、内側が略円形状をなすと共に、一定の厚みを有している。その結果、装着者がフェイスシールド１を装着した際、第一当接部１２１が撓まないため、第一当接部１２１の外側に取り付けられている遮蔽部１１が撓むこともないし、フェイスシールド１が装着者の頭部にしっかりフィットし、ずり落ちたり外れたりしてしまうこともない。
【００２２】
第二当接部１２２は、装着者の側頭部から後頭部の形状に合わせて、略円形状をなしている。この第二当接部１２２は、第一当接部１２１に比して幅が薄く、装着者の頭部形状に合わせてわずかに撓み、これにより装着者の頭部形状によらず、しっかりと装着される。
【００２３】
この第二当接部１２２は、その長さや機能等によって、装着者の頭部に適切にフィットするのが好適である。
例えば、様々な長さのものが用意されていて、適宜の長さのものを第一当接部１２１に接続できるようになっていてもよい。また、伸縮自在なゴム部材によって構成され、装着者の頭部からずり落ちない程度に頭部を締め付け、これにより装着者の頭部に固定されるようになっていてもよい。さらに、長さ調整可能なスライド機構やベルト機構など、装着者の頭部の頭囲に応じて段階的に長さを調整できる機構を備えたものであってもよい。
【００２４】
遮蔽部１１は、装着者の顔面から離間して設けられた部分であり、装着者の顔面全体を覆い、これにより装着者と、装着者に向き合う者との間を隔てる。
この遮蔽部１１は、その上端において、装着部１２の第一当接部１２１の外周面に一体的に取り付けられている。
【００２５】
また、遮蔽部１１は、装着者の顔面を正面から側面にかけて覆うように撓められ、遮蔽部１１の下端は、装着者のフェイスラインに沿った形状をなしている。
これにより、装着者が首を動かして、上下左右に顔を向ける場合でも、遮蔽部１１が体に当たるなどの不都合が生じにくい。
【００２６】
また、遮蔽部１１は透明で薄いプラスチック樹脂等からなり、外部から装着者の顔面を視認するのを妨げないようになっている。
これにより、装着者が人と話す場合でも、装着者と相手方は互いの顔を見ながら話すことができる。また、プラスチック樹脂等であれば、装着時に破損時した場合でも、破片が生じて装着者に怪我をさせることもない。
【００２７】
遮蔽部１１のうち、装着者の視界に収まる領域（以下において、「視界領域Ｆ」と称することがある）には、装着者の目を外光から守るための遮光手段が備えられている。なお、図１において、ハッチングによって示された領域が視界領域Ｆである。
この遮光手段は例えば、視界領域Ｆに印刷された色彩又は模様である、色彩又は模様は、外光を遮る効果を発揮しつつ、装着者と、装着者に向き合う者とが互いの顔を視認できる程度の視認性を有するものであればよい。具体的には、スモーク印刷やドット印刷であってもよいし、何かしらの画像を印刷したものであってもよい。また、調光剤をコーティングするものであってもよい。なお、視認性を確保するためには、ドット印刷のように適度に隙間を設けたり、光の透過を許容するハーフトーンで印刷したりするとよい。また、室内ではクリアになる一方、屋外では濃色となる素材やコーティング剤を用いたものであってもよい。
【００２８】
また、遮光手段は、視界領域Ｆに貼付されたシールとして構成されていてもよい。シールには上述した色彩や模様などが印刷され、透明な遮蔽部１１の所定の位置に貼付することで、遮蔽部１１に直接、色彩や模様を印刷したのと同様の役割を果たす。なお、シールとして構成した場合には、低粘着性の接着剤を利用するなどして、貼付と剥離を自在にしてもよい。
【００２９】
また、遮蔽部１１の視界領域Ｆに相当する部分には、その境界を視認又は識別可能とし、シールの貼付位置を示すラインなどが表示されていてもよい。この場合、視界領域Ｆの境界を示すラインの形状と、遮光手段としてのシールの形状を対応させることによって、シールの貼付対象領域となる視界領域Ｆを把握しやすく、シールを適切な位置に貼付しやすい。
なお、このような遮光手段としてのシールは、遮光性と視認性を兼ね備え、遮蔽部１１を備えたフェイスシールド１の視界領域Fに貼付されるフェイスシールド用シールとして提供することもできる。
【００３０】
また、フェイスシールド１は視界領域Ｆにおいて、紫外線の透過を防ぐ紫外線透過制限手段を有していてもよい。
紫外線透過制限手段は、外部からの紫外線の透過を制限できるものであればよく、例えば、紫外線を吸収する紫外線吸収剤をコーティングさせたものであってもよいし、紫外線を反射させるものであってもよい。また、紫外線透過制限手段が遮光手段を兼ねてもよい。例えば、紫外線吸収剤としてのインキを遮蔽部１１の視界領域Ｆに印刷することで、遮光の効果が得られれば、当該インキの印刷は紫外線透過制限手段と遮光手段を兼ねる。
【００３１】
以上の本実施形態に係るフェイスシールド１によれば、装着者の目を外光から保護しつつ、装着者と、装着者に向き合う者とが互いの顔を視認するのを妨げることがない。また、視界領域Ｆ以外はクリアなので、外側からは、装着者の顔や表情を把握しやすい。さらに、日光などによる暑さを軽減して、暑い中での作業においても長時間、使用するのに好適である。
【実施例２】
【００３２】
図２により、本考案の第二の実施形態に係るフェイスシールド２を示す。
本実施形態に係るフェイスシールド２は、装着部２２と遮蔽部２１が別体として構成され、遮蔽部２１が取り替え可能に装着部２２に取り付けられる。
このフェイスシールド２は、第一の実施形態に係るフェイスシールド１と同様、装着部２２と遮蔽部２１とによって構成される。また、同様に、装着部２２は、装着者の額に当接する第一当接部２２１と、装着者の側頭部から後頭部にわたる部分に当接する第二当接部２２２からなり、遮蔽部２１のうち、装着者の視界に収まる領域は視界領域Ｆを構成する。
なお、本実施例において、視界領域Ｆは上述した実施例１と同様に構成することができる。
【００３３】
一方、本実施形態では、遮蔽部２１を装着部２２に脱着可能に取り付けるための機構として、係合突起２２ａと係合孔２１ａを備える。即ち、装着部２２の第一当接部２２１の外周面上には、長さ方向に沿って複数の係合突起２２ａが間隔をあけて設けられている。これに応じて、遮蔽部２１の上方には、係合孔２１ａが形成されている。
【００３４】
係合突起２２ａは、先端部分が係合孔２１ａの径よりもわずかに大きく、また、その根元がくびれており、係合孔２１ａに係合させると、遮蔽部２１が装着部２２から容易に脱落しないようになっている。
これにより装着者は、一定時間フェイスシールドを装着したり、遮蔽部２１が汚れたりした場合に適宜、遮蔽部２１を新たにものに取り替えて使用できるので、衛生的であるし、装着部２２は繰り返し利用できるのでコストも軽減できる。
【００３５】
なお、本実施形態にかかわらず、遮蔽部２１を装着部２２に脱着可能に取り付けることができれば、遮蔽部２１を装着部２２に取り付けるための機構は他の手段によるものであってもよい。
【００３６】
このように構成された遮蔽部２１は、装着部２２に対して脱着可能に取り付けられるフェイスシールド用パネルとして、提供することもできる。
【００３７】
このような実施例２によっても、フェイスシールド２を装着した装着者の目を保護することができるし、日光などによる暑さを軽減することもできる。
【００３８】
なお、以上の本考案の実施形態について、各実施例に記載の構成は、単独または組み合わせることができる。これにより、例えば、フェイスシールド用パネルとして構成した遮蔽部２１の視界領域Ｆに、上述した遮光手段としてのシールを貼付して提供してもよい。
【符号の説明】
【００３９】
１      ：フェイスシールド
２      ：フェイスシールド
１１    ：遮蔽部
１２    ：装着部
２１    ：遮蔽部
２１ａ  ：係合孔
２２    ：装着部
２２ａ  ：係合突起
１２１  ：第一当接部
１２２  ：第二当接部
２２１  ：第一当接部
２２２  ：第二当接部
Ｆ      ：視界領域
【図１】
0003228208.tif 000003
【図２】
0003228208.tif 000004
【手続補正書】
【提出日】令和2年7月15日(2020.7.15)
【手続補正１】
【補正対象書類名】実用新案登録請求の範囲
【補正対象項目名】全文
【補正方法】変更
【補正の内容】
【実用新案登録請求の範囲】
【請求項１】
装着者の頭部に装着可能な装着部と、
前記装着部に取り付けられ、前記装着者の顔面から離間して前記装着者の顔面を覆う透明な遮蔽部と、
前記装着者が装着した際に、前記遮蔽部のうち、前記装着者の視界に収まる視界領域に設けられた遮光手段と、を有する、
フェイスシールド。
【請求項２】
前記遮光手段は、前記視界領域に印刷された色彩又は模様である、
請求項１記載のフェイスシールド。
【請求項３】
前記遮光手段は、前記視界領域に貼付されたシールである、
請求項１記載のフェイスシールド。
【請求項４】
前記シールは、貼付と剥離が自在である、
請求項３記載のフェイスシールド。
【請求項５】
前記シールの貼付対象領域となる視界領域について、境界が視認可能に示されている、
請求項３又は４記載のフェイスシールド。
【請求項６】
前記視界領域において、紫外線の透過を防ぐ紫外線透過制限手段、を有する、
請求項１乃至５いずれかの項に記載のフェイスシールド。
【請求項７】
前記遮蔽部は、前記装着部に対し、取り替え可能に取り付けられている、
請求項１乃至６いずれかの項に記載のフェイスシールド。
【請求項８】
装着者の頭部に装着可能な装着部に取り付けられるフェイスシールド用パネルであって、
前記装着部に取り付けられ、前記装着者の顔面から離間して前記装着者の顔面を覆う透明な遮蔽部と、
前記装着者が装着した際に、前記遮蔽部のうち、前記装着者の視界に収まる視界領域に設けられた遮光手段と、を有する、
フェイスシールド用パネル。
【請求項９】
装着者の顔面から離間して当該装着者の顔面を覆う透明な遮蔽部を備えたフェイスシールドに貼付されるフェイスシールド用シールであって、
前記装着者が装着した際に、前記遮蔽部のうち、前記装着者の視界に収まる視界領域に即したかまぼこ形状からなると共に、当該視界領域に貼付するための接着剤が塗布され、
視認性が確保された遮光のための色彩又は模様、を有する、
フェイスシールド用シール。
【請求項１０】
フェイスシールド用シールが貼付されるフェイスシールドであって、
装着者の顔面から離間して当該装着者の顔面を覆う透明な遮蔽部、を有し、
前記遮蔽部には、前記装着者の視界に収まる視界領域の境界であって、当該視界領域の形状に即した形状からなるフェイスシールド用シールの貼付位置を示すラインが表示されている、
フェイスシールド。